(57)【要約】【課題】Ｙ／色差コンポーネント信号から変換されたＮＴＳＣコンポジット信号のレベルを管理するための表示面積を小さくする。【解決手段】映像信号のレベルを監視する装置が、コンポーネント映像信号の第１色差成分（Ｃｂ）と第２色差成分（Ｃｒ）とを入力する手段と、前記コンポーネント映像信号の輝度成分（Ｙ）をコンポジット映像信号の輝度成分（Ｙ）として入力する手段と、前記第１色差成分と前記第２色差成分とから、コンポジット映像信号の色成分（Ｃ）を生成する手段と、前記色成分（Ｃ）及び前記輝度成分（Ｙ）の各振幅値を１次元的な方向に表示する手段と、を備えることにより、前記課題を解決する。好ましくは、表示する前記手段は、前記各振幅値をバーグラフ表示し、さらに、前記コンポジット映像信号が所定の規格の範囲内にあるか否かを表示する。【選択図】  図４
2004236098.tif 000002
【特許請求の範囲】
【請求項１】
映像信号のレベルを監視する装置であって、該装置は、
コンポーネント映像信号の第１色差成分（Ｃｂ）と第２色差成分（Ｃｒ）とを入力する手段と、
前記コンポーネント映像信号の輝度成分（Ｙ）をコンポジット映像信号の輝度成分（Ｙ）として入力する手段と、
前記第１色差成分と前記第２色差成分とから、コンポジット映像信号の色成分（Ｃ）を生成する手段と、
前記色成分（Ｃ）及び前記輝度成分（Ｙ）の各振幅値を１次元的な方向に表示する手段と、
を備える映像信号レベル監視装置。
【請求項２】
請求項１に記載の映像信号レベル監視装置において、
表示する前記手段は、前記各振幅値を所定の単位系を用いて表示する、装置。
【請求項３】
請求項１に記載の映像信号レベル監視装置において、
表示する前記手段は、前記各振幅値をバーグラフ表示する、装置。
【請求項４】
請求項１に記載の映像信号レベル監視装置において、
表示する前記手段は、前記各振幅値を異なる色で表示する、装置。
【請求項５】
請求項１に記載の映像信号レベル監視装置において、
表示する前記手段はさらに、所定の規格の範囲内にある最小許容値及び最大許容値に対応する目盛を表示する、装置。
【請求項６】
請求項１に記載の映像信号レベル監視装置において、
表示する前記手段はさらに、前記コンポジット映像信号が所定の規格の範囲内にあるか否かを表示する、装置。
【請求項７】
請求項１〜請求項６の何れか１項に記載の映像信号レベル監視装置において、
表示する前記手段は、前記映像信号のウェーブ・フォームを表示する、装置。
【発明の詳細な説明】
【０００１】
【発明の属する技術分野】
本発明は、映像信号レベル監視装置に関連し、特に、Ｙ／色差コンポーネント信号から変換されたＮＴＳＣコンポジット信号レベルを監視する装置に関連する。
【０００２】
【従来の技術】
映像信号は、例えば、Ｙ／色差コンポーネント信号、ＮＴＳＣコンポジット信号などの様々な方式で、規定されている。一般に、放送局は、Ｙ／色差コンポーネント信号をＮＴＳＣコンポジット信号に変換し、そのＮＴＳＣコンポジット信号を伝送している。
【０００３】
しかし、Ｙ／色差コンポーネント信号の最大振幅レベル範囲は、ＮＴＳＣコンポジット信号の管理されるレベル範囲より広いため、Ｙ／色差コンポーネント信号のレベル管理だけでは、変換後のＮＴＳＣコンポジット信号のレベル管理をしたことにならない。このため、ＮＴＳＣコンポジット信号に変換後を想定したレベル管理方法が求められていた。
【０００４】
このＮＴＳＣコンポジット信号は、一般的に、ＳＭＰＴＥ１７０Ｍ規格で付合化されている。従って、ＮＴＳＣコンポジット信号のレベルは、例えば、図１に示すＳＭＰＴＥ１７０Ｍ規格の範囲内（−４０ＩＲＥ〜＋１３１ＩＲＥ）で、管理される必要がある。特に、ＮＴＳＣコンポジット信号のうち、輝度成分（Ｙ）のレベルは、１２０ＩＲＥ以上にならないように、管理される必要がある。
【０００５】
図２は、以下に示す非特許文献１の中で示されているように、Ｙ／色差コンポーネント信号から変換されたＮＴＳＣコンポジット信号のレベルを管理するための表示を示す図である。図２に図示される表示を用いる従来の方法は、ＮＴＳＣコンポジット信号のレベル（輝度成分と色成分とからなるベクトル）が、Ｙ−色差平面上に写像されたＳＭＰＴＥ１７０Ｍ規格の範囲内にあるか否かを管理することができる。
【０００６】
【非特許文献１】
日本テクトロニクス株式会社、“ガマット（ＧＡＭＵＴ）計測”（図５）、［ｏｎｌｉｎｅ］、［平成１４年１２月１３日検索］、インターネット＜ＵＲＬ：ｈｔｔｐ：／／ｗｗｗ．ｔｅｋｔｒｏｎｉｘ．ｃｏ．ｊｐ／Ｐｒｏｄｕｃｔｓ／Ｍｅａｓｕｒｅｍｅｎｔ＿Ｐｒｏｄ／Ａｐｐ＿ｎｏｔｅｓ／ｗｆｍ７００＿ｇａｍｕｔ＿ｍｅａｓｕｒｅ．ｐｄｆ＞
【０００７】
【発明が解決しようとする課題】
しかしながら、Ｙ／色差コンポーネント信号から変換されたＮＴＳＣコンポジット信号のレベルを正確に管理すると同時に一般に、元になるＹ／色差コンポーネント信号又は変換後のＮＴＳＣコンポジット信号のウェーブ・フォームを表す表示が、必要である。なぜならば、その表示されるウェーブ・フォームから、レベル以外の情報（例えば歪み）が得られるからである。一方、図２に図示される表示は、ＳＭＰＴＥ１７０Ｍ規格の範囲をＹ−色差平面で表すため、その表示面積は、大きい。このため、Ｙ／色差コンポーネント信号から変換されたＮＴＳＣコンポジット信号のレベルを管理するウェーブ・フォーム・モニタは、レベル管理表示とウェーブ・フォーム表示とを同時に表示することができなかった。
【０００８】
結果として、ウェーブ・フォーム・モニタのユーザは、ＮＴＳＣコンポジット信号のレベルを管理するための表示か、或いは、ウェーブ・フォームを管理するための表示か、何れか一方の表示を選択しなければならなかった。
【０００９】
従って、本発明の目的は、Ｙ／色差コンポーネント信号から変換されたＮＴＳＣコンポジット信号のレベルを管理するための表示面積を小さくすることにある。
【００１０】
本発明のもう１つの目的は、ＮＴＳＣコンポジット信号のレベルを管理するための表示と、元になるＹ／色差コンポーネント信号又は変換後のＮＴＳＣコンポジット信号のウェーブ・フォームを管理するための表示とを同時に表示することにある。
【００１１】
【課題を解決するための手段】
上記目的を達成するために、本発明は、映像信号のレベルを監視する装置であって、コンポーネント映像信号の第１色差成分（Ｃｂ）と第２色差成分（Ｃｒ）とを入力する手段と、前記コンポーネント映像信号の輝度成分（Ｙ）をコンポジット映像信号の輝度成分（Ｙ）として入力する手段と、前記第１色差成分と前記第２色差成分とから、コンポジット映像信号の色成分（Ｃ）を生成する手段と、前記色成分（Ｃ）及び前記輝度成分（Ｙ）の各振幅値を１次元的な方向に表示する手段と、を備える。
【００１２】
表示する前記手段は、前記各振幅値をバーグラフ表示し、異なる色で表示し、さらに、前記コンポジット映像信号が所定の規格の範囲内にあるか否かを表示してもよい。表示する前記手段は更に、前記映像信号のウェーブ・フォームを表示してもよい。
【００１３】
【発明の実施の形態】
以下に、本発明の実施の形態について、図面を参照して説明する。
【００１４】
図３は、本発明に係る、映像信号のレベルを監視する装置の概略ブロック図である。図４は、本発明に係る、ＮＴＳＣコンポジット信号のレベルを管理するための表示例を示す図である。図５は、図４に示すバーグラブ表示を説明するための図である。
【００１５】
映像信号のレベルを監視する装置３０は、概して、コンポーネント信号の第１色差成分（Ｃｂ）と第２色差成分（Ｃｒ）とを入力し、ＮＴＳＣコンポジット信号の色成分を生成するＮＴＳＣエンコーダ３１と、ＮＴＳＣ色成分を入力し、この色成分の振幅値を生成する棒グラフ演算部３２と、ＮＴＳＣ色成分の振幅値を入力し、コンポーネント信号の輝度成分（Ｙ）をＮＴＳＣコンポジット信号の輝度成分として入力し、ＮＴＳＣ色成分の振幅値とＮＴＳＣ輝度成分の振幅値とを１次元的（所定の方向）に表示する表示回路３３と、を備える。（なお、コンポーネント信号の輝度成分（Ｙ）は、ＮＴＳＣコンポジット信号の輝度成分に等しい。）
以下、映像信号のレベルを監視する装置３０の動作を、映像信号のレベルを監視する装置の具体的な構成とともに、説明する。
【００１６】
ＮＴＳＣエンコーダ３１は、コンポーネント信号の第１色差成分（Ｃｂ）と第２色差成分（Ｃｒ）とを入力する。その後、ＮＴＳＣエンコーダ３１は、（ｘ，ｙ）＝（第１色差成分（Ｃｂ），第２色差成分（Ｃｒ））からなるＮＴＳＣ色信号（例えば、ＳＭＰＴＥ１７０Ｍ規格のＮＴＳＣ色信号）を生成する。その後、ＮＴＳＣエンコーダ３１は、ＮＴＳＣ色信号を棒グラフ演算部３２に出力する。
【００１７】
棒グラフ演算部３２は、ＮＴＳＣコンポジット信号の色成分の振幅値を生成する。具体的に、棒グラフ演算部３２は、以下に述べるバーグラフ表示のために（図５中のｄｙ値を得るために）、ＮＴＳＣ色信号のピーク・トゥ・ピーク値を、色成分の振幅値として求める。棒グラフ演算部３２は、生成したＮＴＳＣコンポジット信号の色成分の振幅値を表示回路３３に出力する。
【００１８】
表示回路３３は、コンポーネント信号の第１成分（Ｃｂ）及び第２色差成分（Ｃｒ）に対応する輝度成分（Ｙ）を、ＮＴＳＣコンポジット信号の輝度成分（Ｙ）として入力する。その後、表示回路３３は、図４に示すように、ＮＴＳＣコンポジット信号の輝度成分の振幅値（輝度レベル４１）及び色成分の振幅値（色レベル４２）をバー・グラフ表示４０する。
【００１９】
図５に示すように、バー・グラフ表示するために、表示回路３３は、以下のような演算を行う。まず、表示回路３３は、ＮＴＳＣコンポジット信号の輝度成分の振幅値に対応する、垂直方向の位置ｙ１（垂直方向のグラフィック・メモリ・アドレス「ｙ１」）を算出する。その後、表示回路３３は、水平方向の所定の位置ｘ１（水平方向のグラフィック・メモリ・アドレス「ｘ１」）及び所定の長さｄｘ１と垂直方向の位置ｙとを用いて、ＮＴＳＣコンポジット信号の輝度成分の振幅値に対応する一本の直線４１（第１グラフィック・メモリ・アドレス群「ｘ１≦ｘ≦ｘ１＋ｄｘ１，ｙ＝ｙ１」を表示する。
【００２０】
表示回路３３は更に、ＮＴＳＣコンポジット信号の色成分の振幅値に対応する、垂直方向の長さｄｙを算出する。その後、表示回路３３は、水平方向の所定の位置ｘ２（水平方向のグラフィック・メモリ・アドレス「ｘ２」）及び所定の長さｄｘ２と垂直方向の所定の位置ｙｃ及び長さｄｙとを用いて、ＮＴＳＣコンポジット信号の色成分の振幅値に対応する面積４２（第２グラフィック・メモリ・アドレス群「ｘ２≦ｘ≦ｘ２＋ｄｘ２，ｙｃ−ｄｙ／２≦ｙ≦ｙｃ＋ｄｙ／２  但し、ｘ１≦ｘ≦ｘ１＋ｄｘ１，ｙ＝ｙ１は除く。」）を表示する。
【００２１】
なお、バー・グラフ表示を説明するために、図５及び上述の説明において、ｘ１≠ｘ２、ｙｃ≠ｙ１が記述されているが、表示回路３３は、ｘ１＝ｘ２、ｙｃ＝ｙ１を用いて、直線４１及び面積４２を算出し、表示する。また、ｄｘ１とｄｘ２とが区別して記述されているが、好ましくは、表示回路３３は、ｄｘ１＝ｄｘ２を用いて、直線４１及び面積４２を算出し、表示する。
【００２２】
表示回路３３は、ＮＴＳＣコンポジット信号の輝度成分の振幅値及び色成分の振幅値と、バー・グラフ表示の際の演算（第１及び第２グラフィック・メモリ・アドレス群）との関係を表すテーブルを予め記憶し、このテーブルを用いてバー・グラフ表示の際の演算を省略することもできる。
【００２３】
好ましくは、表示回路３３は、図４に示すように、ＮＴＳＣコンポジット信号の輝度成分の振幅値（輝度レベル４１）及び色成分の振幅値（色レベル４２）をを、ＩＲＥ単位の目盛４３とともに、ＩＲＥ単位でバー・グラフ表示４０する。バー・グラフ表示４０の際に、好ましくは、ＩＲＥ単位の目盛は、ＳＭＰＴＥ１７０Ｍ規格の範囲内にある最小許容値（−４０ＩＲＥ）及び最大許容値（＋１３１ＩＲＥ）を含む。さらに好ましくは、ＩＲＥ単位の目盛は、ＮＴＳＣコンポジット信号の輝度成分（Ｙ）のレベルに関する輝度許容値（＋１２０ＩＲＥ）を含む。
【００２４】
また、好ましくは、表示回路３３は、ＮＴＳＣコンポジット信号の輝度成分の振幅値（輝度レベル４１：第１グラフィック・メモリ・アドレス群）の色（例えば、赤色）と、ＮＴＳＣコンポジット信号の色成分の振幅値（色レベル４２：第２グラフィック・メモリ・アドレス群）の色（例えば、黄色）とが異なるように、表示する。或いは、表示回路３３は、ＮＴＳＣコンポジット信号の輝度成分の振幅値（輝度レベル４１）の輝度（例えば、１００％）と、ＮＴＳＣコンポジット信号の色成分の振幅値群（色レベル４２）の輝度（例えば、５０％）とが異なるように、表示する。
【００２５】
さらに好ましくは、図３に示すように、表示回路３３は、ＮＴＳＣコンポジット信号あるいはＹ／色差コンポーネント信号のウェーブ・フォーム信号３５を入力する。図４に示すように、表示回路３３は、バー・グラフ表示４０するとともに、ウェーブ・フォーム信号を波形表示４５する。
【００２６】
さらに好ましくは、図３に示すように、映像信号のレベルを監視する装置３０は、ＮＴＳＣコンポジット信号のレベルがＳＭＰＴＥ１７０Ｍ規格の範囲内にあるかを判定する回路３４を備える。ＮＴＳＣコンポジット信号の輝度成分と、棒グラフ演算部３２からのＮＴＳＣコンポジット信号の色成分とが、回路３４に入力される。なお、ＮＴＳＣエンコーダ３１からのＮＴＳＣコンポジット信号の色成分が、回路３４に入力されてもよい。
【００２７】
回路３４は、ＮＴＳＣコンポジット信号の最小値（図５中のｙ１−ｄｙ／２、又は、輝度分の振幅値と色成分の下側ピーク値（マイナスの値を持つピーク値）とを加算した値）が、ＳＭＰＴＥ１７０Ｍ規格の範囲内にある最小許容値（−４０ＩＲＥ）を下回っているかを判定し、下回っている場合、回路３４は、第１警告信号を発生する。同様に、回路３４は、ＮＴＳＣコンポジット信号の最大値（図５中のｙ１＋ｄｙ／２、又は、輝度分の振幅値と色成分の上側ピーク値（プラスの値を持つピーク値）とを加算した値）が、ＳＭＰＴＥ１７０規格の範囲内にある最大許容値（＋１３１ＩＲＥ）を上回っているかを判定し、上回っている場合、回路３４は、第２警告信号を発生する。
【００２８】
好ましくは、回路３４は、ＮＴＳＣコンポジット信号の輝度成分の振幅値（ｙ１）が、輝度成分（Ｙ）のレベルに関する輝度許容値（＋１２０ＩＲＥ）を上回っているかを判定し、上回っている場合、回路３４は、第３警告信号を発生する。
【００２９】
警告信号を発生する場合、回路３４は、警告信号を表示回路３３に出力する。表示回路３３は、第１警告信号が入力される場合、図４に示すように、第１警告ランプ４４を、例えば、赤色で、表示する。好ましくは、第１警告ランプ４４は、最小許容値に対応する目盛４３の近くに配置される。同様に、表示回路３３は、第２警告信号が入力される場合、第２警告ランプ４４’を、例えば、赤色で、表示し、また、第３警告信号が入力される場合、第２警告ランプ４４’を、例えば、黄色で、表示する。好ましくは、第１警告ランプ４４は、最大許容値に対応する目盛４３の近くに配置される。
【００３０】
なお、表示回路３３は、第３警告信号が入力される場合、第３警告ランプ（図示せず）を表示することもできる。この場合、好ましくは、第３警告ランプは、輝度許容値に対応する目盛４３の近くに配置される。
【図面の簡単な説明】
【図１】ＳＭＰＴＥ１７０規格を示す図である。
【図２】Ｙ／色差コンポーネント信号から変換されたＮＴＳＣコンポジット信号のレベルを管理するための従来の表示を示す図である。
【図３】本発明に係る、映像信号のレベルを監視する装置の概略ブロック図である。
【図４】本発明に係る、ＮＴＳＣコンポジット信号のレベルを管理するための表示例を示す図である。
【図５】図５は、図４に示すバーグラブ表示を説明するための図である。
【図１】
2004236098.tif 000003
【図２】
2004236098.tif 000004
【図３】
2004236098.tif 000005
【図４】
2004236098.tif 000006
【図５】
2004236098.tif 000007